(57)【要約】【課題】各種のプリンターにロール状に巻いた状態で装填して印字することができ、ミシン目やカッターなどによる切断構成あるいは処理を必要とせずに、印字後直ちに使用することが可能であるとともに、印字後にも連続状態のままで保管が可能であって、取扱いおよび管理が容易な花卉用表示タグ連続体を提供すること。【解決手段】帯状の台紙１１上に擬似接着剤層１３を介在させて複数枚の花卉用表示タグ１２を設けることに着目したもので、花卉情報を印字して表示する表示部１４と、表示部１４を花卉の植木鉢に差し込み可能とする差込み用突起部１５と、を一体的に形成した花卉用表示タグ１２の複数枚を有する花卉用表示タグ連続体であって、花卉用表示タグ１２を帯状の台紙１１上に擬似接着剤層１３を介して仮着してあることを特徴とする。【選択図】図１
2008268291.tif 000002
【特許請求の範囲】
【請求項１】
花卉情報を印字して表示する表示部と、
この表示部を花卉の植木鉢に差し込み可能とする差込み用突起部と、を一体的に形成した花卉用表示タグの複数枚を有する花卉用表示タグ連続体であって、
前記花卉用表示タグを帯状の台紙上に擬似接着剤層を介して仮着してあることを特徴とする花卉用表示タグ連続体。
【請求項２】
前記擬似接着剤層は、前記花卉用表示タグの裏面全面にこれを形成してあることを特徴とする請求項１記載の花卉用表示タグ連続体。
【請求項３】
前記擬似接着剤層は、前記花卉用表示タグの裏面に所定領域に分割してこれを形成してあることを特徴とする請求項１記載の花卉用表示タグ連続体。
【請求項４】
前記擬似接着剤層は、前記花卉用表示タグの裏面に所定密度で分散してこれを形成してあることを特徴とする請求項１記載の花卉用表示タグ連続体。
【発明の詳細な説明】
【技術分野】
【０００１】
本発明は花卉用表示タグ連続体にかかるもので、とくに植木や草花など各種の花卉の名称や価格その他の花卉情報を表示するための花卉用表示タグ連続体に関するものである。
【背景技術】
【０００２】
従来の花卉用表示タグは、植木鉢などへの差込みを行なうことができるように、その先端部が細くなっているものが多い。
しかしながら、プリンターなどに装填して花卉情報を印字するタイプのものでは、その加工および印字の際に問題が生じやすい。
【０００３】
図５ないし図７にもとづき、従来の花卉用表示タグ連続体１について概説する。
図５は、従来の花卉用表示タグ連続体１の平面図であって、花卉用表示タグ連続体１は、表示タグ２を連続的に有するもので、表示タグ２の間に形成したミシン目３により、それぞれの表示タグ２に分離することができるようになっている。
表示タグ２は、花卉情報を印字して表示する表示部４と、この表示部４を花卉の植木鉢に差し込み可能とする差込み用突起部５と、を一体的に有する。
【０００４】
図６は、花卉用表示タグ連続体１（表示タグ２）に印字を行うためのプリンター（たとえばサーマルプリンター６）の要部概略側面図であって、サーマルプリンター６のサーマルヘッド７およびプラテンローラー８の間に花卉用表示タグ連続体１を挿通挟時して表示タグ２の表示部４に印字を行う。
この印字ののち、ミシン目３の部分で表示タグ２を分離して単葉の表示タグ２として使用する。
【０００５】
すなわち、図７は、表示タグ２の使用状態を示す斜視図であって、サーマルプリンター６により印字し分離した表示タグ２を花卉の植木鉢９に差し込んで表示部４の印字内容を表示可能とする。
【０００６】
こうした構成の花卉用表示タグ連続体１は、表示タグ２としての独特のないし異形的な形状から花卉用表示タグ連続体１をロール状に巻き取って上記サーマルプリンター６などに装填して用いる際に、差込み用突起部５が引っ掛かって、ロール形態に巻き取ることや巻締めを行なうことが困難であるという問題がある。
したがって、差込み用突起部５が引っ掛からないように、デザインする必要があって表示タグ２のタグ形状に制約があるという問題がある。
さらに、花卉用表示タグ連続体１（表示タグ２）の材料としては、植木鉢９に差し込むために、厚さがある基材や硬度の高い基材を使用しており、表示タグ２の切離しのためにミシン目３を形成しているが、このミシン目３がサーマルプリンター６の移送路に引っ掛かって、移送および印字に支障が生ずるという問題がある。
このミシン目３を形成することなく、印字後にカッター（図示せず）などを用いることはサーマルプリンター６としての価格の上昇をもたらすとともに、使用者の手間が増えるという問題がある。
もちろん、単葉の表示タグ２として加工することは、サーマルプリンター６などにより容易に印字することが事実上困難になるという問題がある。
【０００７】
【特許文献１】実開平７−１４７０号公報
【発明の開示】
【発明が解決しようとする課題】
【０００８】
本発明は以上のような諸問題にかんがみなされたもので、従来のラベル連続体と同様にサーマルプリンターなど各種のプリンターにロール状に巻いた状態で装填して印字することができる花卉用表示タグ連続体を提供することを課題とする。
【０００９】
また本発明は、ミシン目などを必要とせずに花卉用表示タグを互いに分離可能で、印字を行なうのに支障も生じないようにした花卉用表示タグ連続体を提供することを課題とする。
【００１０】
また本発明は、カッターなどによる切断処理を必要とせずに、印字後直ちに使用することが可能な花卉用表示タグ連続体を提供することを課題とする。
【００１１】
また本発明は、印字後にも連続状態のままで保管が可能であって、取扱いおよび管理が容易な花卉用表示タグ連続体を提供することを課題とする。
【００１２】
また本発明は、タグ形状に制約がないようにすることができる花卉用表示タグ連続体を提供することを課題とする。
【課題を解決するための手段】
【００１３】
すなわち本発明は、帯状の台紙上に擬似接着剤層を介在させて複数枚の花卉用表示タグを設けることに着目したもので、花卉情報を印字して表示する表示部と、この表示部を花卉の植木鉢に差し込み可能とする差込み用突起部と、を一体的に形成した花卉用表示タグの複数枚を有する花卉用表示タグ連続体であって、上記花卉用表示タグを帯状の台紙上に擬似接着剤層を介して仮着してあることを特徴とする花卉用表示タグ連続体である。
【００１４】
上記擬似接着剤層は、上記花卉用表示タグの裏面全面にこれを形成してあることができる。
【００１５】
上記擬似接着剤層は、上記花卉用表示タグの裏面に所定領域に分割してこれを形成してあることができる。
【００１６】
上記擬似接着剤層は、上記花卉用表示タグの裏面に所定密度で分散してこれを形成してあることができる。
【００１７】
上記花卉用表示タグのそれぞれは、互いに独立した状態で上記台紙に仮着してあることが望ましい。
【発明の効果】
【００１８】
本発明による花卉用表示タグ連続体においては、帯状の台紙上に擬似接着剤層を介在させて花卉用表示タグを設けるようにしたので、花卉用表示タグは台紙からこれを剥がしたあとは、その接着性が失われるので、取扱いに支障はなく、従来の花卉用表示タグと全く同様に植木鉢などに差し込んで使用することができる。
また、サーマルプリンターなどに装填して移送させても、ミシン目がないのでその移送および印字作用に問題はなく、従来の花卉用表示タグ連続体に付随していた諸問題は解消される。
【発明を実施するための最良の形態】
【００１９】
本発明は、帯状の台紙上に擬似接着剤層を介在させて花卉用表示タグを設けるようにしたので、タグ形状に特別の制限もなく、従来のラベル連続体と同様にサーマルプリンターなどに装填しても、移送中の引っ掛かりなどを回避し、適正に印字して使用することができる花卉用表示タグ連続体を実現した。
【実施例】
【００２０】
つぎに本発明の第１の実施例による花卉用表示タグ連続体１０を図１および図２にもとづき説明する。ただし、図５ないし図７と同様の部分には同一符号を付し、その詳述はこれを省略する。
図１は、花卉用表示タグ連続体１０の平面図、図２は、図１のＩＩ−ＩＩ線断面図であって、花卉用表示タグ連続体１０は、その表面に剥離剤層（図示せず）を有する帯状の台紙１１と、この台紙１１上に互いに独立状態で仮着した複数枚の花卉用表示タグ１２と、を有する。
【００２１】
図２に示すように、花卉用表示タグ１２はそれぞれ、台紙１１上に擬似接着剤層１３を介して仮着してある。
花卉用表示タグ１２は、耐水性および印字適性を有する合成樹脂材料などによる合成紙からこれを構成し、前記表示タグ２（図５）と同様に、表示部１４および差込み用突起部１５を一体形成してある。
【００２２】
擬似接着剤層１３は、花卉用表示タグ１２の裏面全面にこれを形成してあるもので、特殊な加圧状態で接着性を具備しているが、一度台紙１１から剥がすとその接着性を失うもので、花卉用表示タグ１２について事後の取扱いに支障はない。
【００２３】
こうした構成の花卉用表示タグ連続体１０において、帯状の台紙にラベル片を仮着してある従来からのラベル連続体（図示せず）と同様に、特殊な技術がなくても簡単に製造加工することができ、さらに、花卉用表示タグ連続体１０をロール状に巻いても、あるいは所定の巻径に巻き締めても、花卉用表示タグ１２の差込み用突起部１５などは台紙１１に仮着状態であるため、引っ掛かることはないとともに、サーマルプリンター６に装填して、その移送および印字を適正に実行可能である。
【００２４】
したがって、印字ののちに、台紙１１から花卉用表示タグ１２を剥離して、一般の糊なし花卉用表示タグ１２として使用することができる。
さらに、花卉用表示タグ１２が互いに独立状態で台紙１１上に仮着されているので、カット処置が不要であり、印字後直ちに使用可能であるとともに、印字後も連続状態での保管が可能である。
また、差込み用突起部１５が互いに引っ掛かることが回避されているので、花卉用表示タグ１２全体の形状に制約がなく、これを自由に設計可能である。
【００２５】
図３は、本発明の第２の実施例による花卉用表示タグ連続体２０の平面図であって、花卉用表示タグ連続体２０においては、擬似接着剤層２１は、花卉用表示タグ１２の裏面に所定領域、たとえば表示部１４の一部および差込み用突起部１５の部分に分割してこれを形成してある。
上記所定領域としては、表示部１４および差込み用突起部１５が台紙１１から剥離しないでサーマルプリンター６などにより移送および印字が可能であるとともに、差込み用突起部１５どおしが互いに引っ掛からないように仮着可能な領域であればよい。
【００２６】
こうした構成の花卉用表示タグ連続体２０においては、花卉用表示タグ１２の形状に応じて擬似接着剤層２１を設ける部位ないし領域を選択して、より安定した仮着状態とともに、花卉用表示タグ１２の剥離および使用を保証可能な花卉用表示タグ連続体２０とすることができる。
【００２７】
図４は、本発明の第３の実施例による花卉用表示タグ連続体３０の平面図であって、花卉用表示タグ連続体３０においては、擬似接着剤層３１は、花卉用表示タグ１２の裏面に所定密度で分散してこれを形成してある。
すなわち、擬似接着剤層３１を小円状の領域として、花卉用表示タグ１２の裏面に均等に設けている。
【００２８】
こうした構成の花卉用表示タグ連続体３０においては、花卉用表示タグ１２の裏面に擬似接着剤層３１を分散状態で設けているので、より少ない擬似接着剤で均等な仮着状態を得ることができるとともに、剥離操作も容易である。
【図面の簡単な説明】
【００２９】
【図１】本発明の第１の実施例による花卉用表示タグ連続体１０の平面図である。
【図２】同、図１のＩＩ−ＩＩ線断面図である。
【図３】本発明の第２の実施例による花卉用表示タグ連続体２０の平面図である。
【図４】本発明の第３の実施例による花卉用表示タグ連続体３０の平面図である。
【図５】従来の花卉用表示タグ連続体１の平面図である。
【図６】同、花卉用表示タグ連続体１（表示タグ２）に印字を行うためのサーマルプリンター６の要部概略側面図である。
【図７】同、表示タグ２の使用状態を示す斜視図である。
【符号の説明】
【００３０】
１  花卉用表示タグ連続体（従来、図５）
２  表示タグ
３  ミシン目
４  表示部
５  差込み用突起部
６  サーマルプリンター（図６）
７  サーマルヘッド
８  プラテンローラー
９  植木鉢（図７）
１０  花卉用表示タグ連続体（第１の実施例、図１）
１１  帯状の台紙
１２  花卉用表示タグ
１３  擬似接着剤層
１４  表示部
１５  差込み用突起部
２０  花卉用表示タグ連続体（第２の実施例、図３）
２１  擬似接着剤層
３０  花卉用表示タグ連続体（第３の実施例、図４）
３１  擬似接着剤層
【図１】
2008268291.tif 000003
【図２】
2008268291.tif 000004
【図３】
2008268291.tif 000005
【図４】
2008268291.tif 000006
【図５】
2008268291.tif 000007
【図６】
2008268291.tif 000008
【図７】
2008268291.tif 000009